(57)【要約】【課題】画像表示装置において、視聴可能時間内にコンテンツの再生が終了しないときに、ユーザが視聴可能時間以降に再生されるコンテンツの画像を容易に確認できるようにする。【解決手段】ＴＶ受像機は、算出時間（視聴中又は視聴予定のコンテンツの開始時刻＋このコンテンツの長さ時間）以内に、ユーザの視聴可能時間の終了時刻が存在するか否かを判断し、存在する場合（Ｓ１１でＹＥＳ）、視聴可能時間以降に再生される部分を算出する（Ｓ１２）。そして、ＴＶ受像機は、視聴可能時間以降に再生される視聴予定のコンテンツの再生画像（映像データ）を取得し（Ｓ１３）、動画で表示する場合（Ｓ１４でＹＥＳ）、取得された映像データをデコードし、動画を表示する（Ｓ１５）。一方、静止画で表示する場合（Ｓ１４でＮＯ）、ＴＶ受像機は、映像データをデコードした映像をキャプチャして静止画として取り込み、この静止画を表示する（Ｓ１７）。【選択図】図５
2014116700.tif 000002
【特許請求の範囲】
【請求項１】
画像を表示する表示手段と、
ユーザの視聴可能時間内に、コンテンツの再生が終了するか否かを判断する終了判断手段と、
前記終了判断手段によって、前記コンテンツの再生が終了しないと判断されたときに、前記視聴可能時間以降に再生される該コンテンツの画像を取得する画像取得手段と、
画像前記取得手段によって取得された画像を前記表示手段に表示するように制御する表示制御手段とを備える画像表示装置。
【請求項２】
前記終了判断手段は、前記コンテンツの現在の再生位置が変更されたとき、該変更後のコンテンツの再生が前記視聴可能時間内に終了するか否かを判断し、
前記画像取得手段は、前記終了判断手段によって、前記変更後のコンテンツの再生が前記視聴可能時間内に終了しないと判断されたときに、前記視聴可能時間以降に再生される該変更後のコンテンツの画像を取得することを特徴とする請求項１に記載の画像表示装置。
【請求項３】
前記コンテンツの再生が終了する時までに、次のコンテンツの再生が開始されるか否かを判断する重複判断手段をさらに備え、
前記画像取得手段は、前記重複判断手段によって、前記コンテンツの再生が終了する時までに、前記次のコンテンツの再生が開始されると判断された場合に、該次のコンテンツの再生開始予定時刻における前記コンテンツの再生画像を取得することを特徴とする請求項１又は２に記載の画像表示装置。
【請求項４】
前記画像取得手段は、前記重複判断手段によって、前記コンテンツの再生が終了する時までに、前記次のコンテンツの再生が開始されると判断された場合に、該次のコンテンツの再生開始予定時刻における前記コンテンツの再生画像に加えて、さらに、前記コンテンツの再生終了予定時刻における、前記次のコンテンツの再生画像を取得することを特徴とする請求項３に記載の画像表示装置。
【請求項５】
前記次のコンテンツの放送予定時間が変更されたか否かを検知する変更検知手段をさらに備え、
前記重複判断手段は、前記変更検知手段によって、前記次のコンテンツの放送予定時間の変更が検知されたときに、前記コンテンツの再生が終了する時までに、前記変更後の次のコンテンツの再生が開始されるか否かを判断することを特徴とする請求項３又は４に記載の画像表示装置。
【請求項６】
前記重複判断手段によって、前記コンテンツの再生が終了する時までに、前記次のコンテンツの再生が開始されると判断された場合に、該次のコンテンツを視聴予定のユーザに対して、前記次のコンテンツの再生の開始を遅らせることについての許諾を促すメッセージを報知する報知手段をさらに備えることを特徴とする請求項３乃至５のいずれか一項に記載の画像表示装置。
【請求項７】
前記報知手段は、前記画像取得手段によって取得された画像を前記メッセージに添付することを特徴とする請求項６に記載の画像表示装置。
【請求項８】
前記画像取得手段は、前記コンテンツを視聴中に、このコンテンツの現在の再生位置が変更されたときに、前記視聴可能時間の終了時刻に再生される該変更後のコンテンツの画像を取得し、
前記表示制御手段は、前記画像取得手段によって取得された画像と、前記視聴中のコンテツの画像とを前記表示手段に同時に表示することを特徴とする請求項１乃至７のいずれか一項に記載の画像表示装置。
【発明の詳細な説明】
【技術分野】
【０００１】
本発明は、コンテンツの再生画像を表示可能な画像表示装置に関する。
【背景技術】
【０００２】
従来から、ユーザの視聴可能時間が２時間しかないにも拘わらず、ユーザは不注意で上映時間が２時間３０分の映画等のコンテンツの視聴を開始してしまうことがある。例えば、航空機による２時間のフライト中に２時間３０分の映画の視聴を開始する場合である。その場合、視聴開始から２時間が経過した時にコンテンツの視聴を中止しなければならず、残り３０分のクライマックスシーンを視聴できないことがある。
【先行技術文献】
【特許文献】
【０００３】
【特許文献１】特開２０１０−７４５５７号公報
【特許文献２】特開２００７−１８９６３３号公報
【特許文献３】特開２００５−１３００８３号公報
【特許文献４】特開２００２−８４４６９号公報
【発明の概要】
【発明が解決しようとする課題】
【０００４】
ところで、コンテンツによっては２時間３０分のうち、最初から２時間が経過した時点がコンテンツの本編であり、残りの３０分は本編の内容とは無関係な特典映像やエンドロールである場合がある。その場合、ユーザは視聴可能時間が２時間しかない場合に、上記の上映時間が２時間３０分のコンテンツの視聴を開始しても、視聴可能時間内に本編の内容を視聴できる。従って、上述したようにクライマックスシーンを視聴できないという状況が発生しない。しかしながら、従来のテレビジョン受像機では、ユーザが視聴可能時間以降に再生されるコンテンツの内容を容易に確認できないという問題がある。
【０００５】
これに対して、特許文献１には、視聴予約やスケジューラー機能およびメッセンジャー機能を、表示部に表示可能なテレビ受信装置が開示されている。特許文献２には、時間が重複した視聴予約の場合、予約番組の放送開始時間が検出されると、映像処理回路がそれぞれの選局された番組の映像信号を処理して、それぞれの番組を左右に分割するなどの合成処理をしてモニタ画面に表示する放送番組予約装置が開示されている。しかしながら、これらの装置は、ユーザの視聴可能時間以降に再生されるコンテンツの内容を表示するものではないため、上記問題を解決できない。
【０００６】
また、特許文献３には、ＥＰＧで視聴又は録画する番組を予約する際に時間帯が重複する場合、重複する時間について、全画面、ピクチャ・イン・ピクチャの親画面と子画面、左右分割の左右及び上下分割の上下を画面表示位置として選択可能な表示装置が開示されている。また、特許文献４には、ユーザによって入力された選局条件がメモリに蓄積され、一度の選局条件設定で継続的に自動選局を行い、選局条件に合致した番組が複数ある場合は、その旨をＯＳＤおよび子画面にて表示し、視聴者に選択させることができる番組自動選局装置が開示されている。しかしながら、これらの装置は、ユーザの視聴可能時間以降に再生されるコンテンツの内容を表示するものではないため、上記問題を解決できない。
【０００７】
本発明は、上述した問題点を解決するためになされたものであり、ユーザの視聴可能時間内にコンテンツの再生が終了しないときに、ユーザが視聴可能時間以降に再生されるコンテンツの画像を容易に確認できる画像表示装置を提供することを目的とする。
【課題を解決するための手段】
【０００８】
上記目的を達成するために本発明の一態様の画像表示装置は、画像を表示する表示手段と、ユーザの視聴可能時間内に、コンテンツの再生が終了するか否かを判断する終了判断手段と、前記終了判断手段によって、前記コンテンツの再生が終了しないと判断されたときに、前記視聴可能時間以降に再生される該コンテンツの画像を取得する画像取得手段と、画像前記取得手段によって取得された画像を前記表示手段に表示するように制御する表示制御手段とを備えるものである。
【０００９】
上記構成においては、終了判断手段によって、コンテンツの再生がユーザの視聴可能時間内に終了しないと判断されたときに、画像取得手段が、視聴可能時間以降に再生されるコンテンツの画像を取得し、表示制御手段が、画像前記取得手段によって取得された画像を表示手段に表示する。そのため、ユーザは、ユーザの視聴可能時間内に、視聴中又は視聴予定のコンテンツの再生が終了しないときに、視聴可能時間以降に再生されるコンテンツの画像を容易に確認できる。従って、ユーザが視聴可能時間以降のコンテンツの内容がコンテンツの本編の内容に影響するか否かを容易に判断できるため、仮に影響しないと判断した場合、ユーザはコンテンツを予定通りに再生することができるので、コンテンツを効率良く視聴でき、利便性が向上する。
【００１０】
前記終了判断手段は、前記コンテンツの現在の再生位置が変更されたとき、該変更後のコンテンツの再生が前記視聴可能時間内に終了するか否かを判断し、前記画像取得手段は、前記終了判断手段によって、前記変更後のコンテンツの再生が前記視聴可能時間内に終了しないと判断されたときに、前記視聴可能時間以降に再生される該変更後のコンテンツの画像を取得することが望ましい。
【００１１】
上記構成においては、終了判断手段は、コンテンツの現在の再生位置が変更されたとき、変更後のコンテンツの再生が視聴可能時間内に終了するか否かを判断する。そして、画像取得手段は、終了判断手段によって変更後のコンテンツの再生が視聴可能時間内に終了しないと判断されたときに、視聴可能時間以降に再生される変更後のコンテンツの画像を取得する。そのため、取得した再生画像を表示制御手段が表示手段に表示できるので、ユーザは、視聴中又は視聴予定のコンテンツの現在の再生位置が変更された場合であっても、ユーザの視聴可能時間内に、変更後のコンテンツの再生が終了しないときに、視聴可能時間以降に再生される変更後のコンテンツの画像を容易に確認できる。従って、視聴可能時間以降に再生される、変更後のコンテンツの内容がコンテンツの本編の内容に影響するか否かを容易に判断できるため、利便性が向上する。
【００１２】
前記画像表示装置は、前記コンテンツの再生が終了する時までに、次のコンテンツの再生が開始されるか否かを判断する重複判断手段をさらに備え、前記画像取得手段は、前記重複判断手段によって、前記コンテンツの再生が終了する時までに、前記次のコンテンツの再生が開始されると判断された場合に、該次のコンテンツの再生開始予定時刻における前記コンテンツの再生画像を取得することが望ましい。
【００１３】
上記構成においては、画像取得手段は、重複判断手段によって、コンテンツの再生が終了する時までに、次のコンテンツの再生が開始されると判断された場合に、次のコンテンツの再生開始予定時刻におけるコンテンツの再生画像を取得する。そして、表示制御手段が取得した再生画像を表示手段に表示するので、ユーザは、次のコンテンツの再生開始予定時刻におけるコンテンツの再生画像を容易に確認できる。従って、ユーザが、次のコンテンツの再生開始予定時刻におけるコンテンツの内容が、コンテンツの本編の内容に影響するか否かを容易に判断できるため、仮に影響しないと判断した場合、ユーザはコンテンツを予定通りに再生することができるので、利便性が向上する。
【００１４】
前記画像取得手段は、前記重複判断手段によって、前記コンテンツの再生が終了する時までに、前記次のコンテンツの再生が開始されると判断された場合に、該次のコンテンツの再生開始予定時刻における前記コンテンツの再生画像に加えて、さらに、前記コンテンツの再生終了予定時刻における、前記次のコンテンツの再生画像を取得することが望ましい。
【００１５】
上記構成においては、画像取得手段は、重複判断手段によって、コンテンツの再生が終了する時までに、次のコンテンツの再生が開始されると判断された場合に、次のコンテンツの再生開始予定時刻におけるコンテンツの再生画像に加えて、さらに、コンテンツの再生終了予定時刻における、次のコンテンツの再生画像を取得する。そのため、ユーザは、次のコンテンツの再生開始予定時刻におけるコンテンツの再生画像と、コンテンツの再生終了予定時刻における、次のコンテンツの再生画像とを容易に確認できる。従って、ユーザは、コンテンツと、次のコンテンツとを予定通りに再生すべきか否かを容易に判断できるため、利便性が向上する。
【００１６】
前記画像表示装置は、前記次のコンテンツの放送予定時間が変更されたか否かを検知する変更検知手段をさらに備え、前記重複判断手段は、前記変更検知手段によって、前記次のコンテンツの放送予定時間の変更が検知されたときに、前記コンテンツの再生が終了する時までに、前記変更後の次のコンテンツの再生が開始されるか否かを判断することが望ましい。
【００１７】
上記構成においては、重複判断手段は、変更検知手段によって、次のコンテンツの放送予定時間の変更が検知されたときに、コンテンツの再生が終了する時までに、変更後の次のコンテンツの再生が開始されるか否かを判断する。そのため、次のコンテンツの放送予定時間が変更された場合であっても、コンテンツの再生が終了する時までに、変更後の次のコンテンツの再生が開始されるか否かが自動的に判断される。そして、コンテンツの再生が終了する時までに、変更後の次のコンテンツの再生が開始されると判断された場合に、変更後の次のコンテンツの再生開始予定時刻におけるコンテンツの再生画像が表示手段に表示される。従って、ユーザは、変更後の次のコンテンツの再生開始予定時刻におけるコンテンツの再生画像を容易に確認できるため、利便性がさらに向上する。
【００１８】
前記画像表示装置は、前記重複判断手段によって、前記コンテンツの再生が終了する時までに、前記次のコンテンツの再生が開始されると判断された場合に、該次のコンテンツを視聴予定のユーザに対して、前記次のコンテンツの再生の開始を遅らせることについての許諾を促すメッセージを報知する報知手段をさらに備えることが望ましい。
【００１９】
上記構成においては、重複判断手段によって、コンテンツの再生が終了する時までに、次のコンテンツの再生が開始されると判断された場合に、報知手段が、次のコンテンツを視聴予定のユーザに対して、次のコンテンツの再生の開始を遅らせることについての許諾を促すメッセージを報知する。そのため、ユーザは、次のコンテンツを視聴予定のユーザに対して、次のコンテンツの再生の開始を遅らせることについての許諾を求める手間が軽減できるので、利便性が向上する。
【００２０】
前記報知手段は、前記画像取得手段によって取得された画像を前記メッセージに添付することが望ましい。
【００２１】
上記構成においては、報知手段が、画像取得手段によって取得された画像を前記メッセージに添付する。そのため、次のコンテンツを視聴予定のユーザは、このコンテンツの再生の開始を遅らせることについて許諾するか否かを判断しやすくなるので、利便性が向上する。
【００２２】
前記画像取得手段は、前記コンテンツを視聴中に、このコンテンツの現在の再生位置が変更されたときに、前記視聴可能時間の終了時刻に再生される該変更後のコンテンツの画像を取得し、前記表示制御手段は、前記画像取得手段によって取得された画像と、前記視聴中のコンテツの画像とを前記表示手段に同時に表示することが望ましい。
【００２３】
上記構成においては、コンテンツを視聴中に、このコンテンツの現在の再生位置が変更されたときに、画像取得手段は、視聴可能時間の終了時刻に再生される変更後のコンテンツの画像を取得する。そして、表示制御手段は、画像取得手段によって取得された画像と、視聴中のコンテツの画像とを表示手段に同時に表示する。従って、ユーザは、視聴可能時間の終了時刻に再生される変更後のコンテンツの画像と、視聴中のコンテツの画像とを容易に確認できるため、利便性がさらに向上する。
【発明の効果】
【００２４】
本発明によれば、ユーザの視聴可能時間内に、視聴中又は視聴予定のコンテンツの再生が終了しないときに、ユーザが視聴可能時間以降に再生されるコンテンツの画像を容易に確認できる。従って、ユーザが視聴可能時間以降に再生されるコンテンツの内容がコンテンツの本編の内容に影響するか否かを容易に判断できるため、仮に影響しないと判断した場合、ユーザはコンテンツを予定通りに再生することができるので、コンテンツを効率良く視聴でき、利便性が向上する。
【図面の簡単な説明】
【００２５】
【図１】本発明の一実施形態に係るＴＶ受像機の電気的ブロック図。
【図２】上記ＴＶ受像機のメモリの内部構成を示すブロック図。
【図３】上記ＴＶ受像機の制御部の内部構成を示すブロック図。
【図４】上記ＴＶ受像機の映像出力部の電気的ブロック図。
【図５】上記ＴＶ受像機におけるコンテンツの再生画像の表示処理の手順の一例を示すフローチャート。
【図６】上記ＴＶ受像機におけるコンテンツの再生画像の表示処理の手順の別の一例を示すフローチャート。
【図７】上記ＴＶ受像機における視聴可能時間と視聴予定のコンテンツの一例を示す説明図。
【図８】上記ＴＶ受像機に表示される視聴予定のコンテンツの再生画像の一例を示す説明図。
【図９】上記ＴＶ受像機に表示される視聴予定のコンテンツの再生画像の別の一例を示す説明図。
【図１０】上記ＴＶ受像機における視聴可能時間と視聴予定のコンテンツの別の一例を示す説明図。
【図１１】上記ＴＶ受像機に表示される視聴予定のコンテンツの再生画像のさらに別の一例を示す説明図。
【図１２】上記ＴＶ受像機に表示される画像の一例を示す説明図。
【図１３】上記ＴＶ受像機に表示されるメッセージの一例を示す説明図。
【図１４】上記ＴＶ受像機に表示される視聴計画画面の一例を示す説明図。
【図１５】上記ＴＶ受像機に表示される視聴予定のコンテンツの画像のさらに別の一例を示す説明図。
【図１６】上記ＴＶ受像機に表示される視聴予定のコンテンツの画像のさらに別の一例を示す説明図。
【図１７】上記ＴＶ受像機と携帯電話との通信を示す説明図。
【図１８】上記携帯電話に送信されるメールの一例を示す説明図。
【図１９】上記ＴＶ受像機に表示されるメッセージの一例を示す説明図。
【図２０】上記ＴＶ受像機に表示される画像の別の一例を示す説明図。
【発明を実施するための形態】
【００２６】
以下、本発明の一実施形態に係るテレビジョン受像機について、図１乃至図３を参照して説明する。図１は、テレビジョン（以下、ＴＶという）受信機（画像表示装置）１の電気的構成を示す。図２は、メモリ１５の内部構成を示し、図３は制御部１０の内部構成を示す。
【００２７】
ＴＶ受像機１は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応した機器であり、ＨＤＭＩケーブル（図示せず）を介して、ブルーレイディスク（以下、ＢＤという）レコーダ等の外部機器から供給されたコンテンツの映像を表示可能である。また、ＴＶ受像機１は、インターネットに接続可能であり、ＶＯＤ（Ｖｉｄｅｏ  Ｏｎ  Ｄｅｍａｎｄ）サーバから供給されたコンテンツの映像も表示可能である。また、ＴＶ受像機１は、ＴＶ番組と録画済みコンテンツとを含む各種コンテンツ（以下、コンテンツという）に対するユーザの視聴予定を表示する視聴計画画面も表示可能である。
【００２８】
ＴＶ受像機１は、図１に示すように、アンテナ（図示せず）に接続されたチューナ部１１と、映像を表示するディスプレイ（表示手段）１２と、音声を出力するスピーカ１３と、ユーザによって操作される操作部１４とを備える。また、ＴＶ受像機１は、メモリ１５と、インターネットに接続するためのネットワークインタフェース１７と、ＨＤＭＩ通信部１８と、制御部（表示制御手段、変更検知手段）１０とをさらに備える。
【００２９】
チューナ部１１は、放送局から配信される各チャンネルのデジタル放送信号を受信して、このデジタル放送信号に対して復調処理等を行い、復調の結果得られたＴＶ番組のコンテンツの映像信号及び音声信号と、ＥＰＧ（電子番組表）のデータとを制御部１０に出力する。
【００３０】
ディスプレイ１２は、チューナ部１１によって受信されたＴＶ番組の映像や、外部機器等から供給されたコンテンツの映像や、視聴計画画面等の各種画像を表示する。スピーカ１３は、チューナ部１１によって受信されたＴＶ番組の音声や、外部機器等から供給されたコンテンツ等の音声を出力する。
【００３１】
操作部１４は、ユーザによって操作される十字キー１４ａと選択キー１４ｂとを含むリモコン装置等で構成される。ユーザは、十字キー１４ａ及び選択キー１４ｂを操作することにより、所望のコンテンツに対する視聴予定の登録の指示や、コンテンツの再生や早送り等の指示を行う。
【００３２】
メモリ１５は、図２に示すように、ＥＰＧ１５ａと、コンテンツ視聴予定１５ｂと、視聴可能時間１５ｃと、優先順位情報１５ｄとを含む各種データを記憶している。
【００３３】
コンテンツ視聴予定１５ｂは、ユーザによるコンテンツの視聴予定を記憶する。具体的には例えば、コンテンツ視聴予定１５ｂは、Ｂさんが５月２０日のＰＭ６：００〜ＰＭ８：００に、外部機器から供給されるコンテンツを視聴するという情報を記憶する。
【００３４】
視聴可能時間１５ｃは、ユーザがコンテンツを視聴可能な時間を記憶する。具体的には例えば、「現在の時刻から２時間経過後まで」や、「５月２１日ＰＭ６：００〜ＰＭ８：００」等の情報を記憶する。優先順位情報１５ｄは、ユーザ間の優先順位や、ユーザによって入力された各種コンテンツの優先順位を記憶する。
【００３５】
ネットワークインタフェース１７は、インタ−ネットに接続され、メールの送受信やコンテンツのデータの送受信を行うものである。ＨＤＭＩ通信部１８は、ＨＤＭＩレシーバとして機能し、ＢＤレコーダ（図示せず）等の外部機器から供給されるコンテンツのデータを受信して、制御部１０に出力する。
【００３６】
制御部１０は、図３に示すように、映像出力部１０ａと、音声出力部１０ｂと、終了判断部（終了判断手段）１０ｃと、画像取得部（画像取得手段）１０ｄと、重複判断部（重複判断手段）１０ｅと、メール送受信部（報知手段）１０ｆとを有し、ユーザによる操作部１４の操作に基づいて、ＴＶ受像機１の各部の制御を行う。
【００３７】
映像出力部１０ａは、チューナ部１１を用いて受信したＴＶ番組の映像をディスプレイ１２に表示させる。また、映像出力部１０ａは、ＨＤＭＩ通信部１８、及びネットワークインタフェース１７から受信したコンテンツの映像をディスプレイ１２に表示させる。また、映像出力部１０ａは、視聴計画画面、ＥＰＧ、及び各種画像をディスプレイ１２に表示させる。
【００３８】
音声出力部１０ｂは、チューナ部１１を用いて受信したＴＶ番組の音声をスピーカ１３に出力させる。また、音声出力部１０ｂは、ＨＤＭＩ通信部１８、及びネットワークインタフェース１７から受信したコンテンツの音声をスピーカ１３に出力させる。
【００３９】
終了判断部１０ｃは、ユーザの視聴可能時間１５ｃ内に、ユーザが視聴中又は視聴予定のコンテンツ（以下、視聴予定のコンテンツという）の再生が終了するか否かを判断する。
【００４０】
画像取得部１０ｄは、所定の時間における視聴予定のコンテンツの再生画像や、この視聴予定のコンテンツの次に視聴予定であるコンテンツ（以下、次の視聴予定のコンテンツという）の所定の時間における再生画像を取得する。
【００４１】
重複判断部１０ｅは、視聴予定のコンテンツの再生が終了する時までに、次の視聴予定のコンテンツの再生が開始されるか否かを判断する。
【００４２】
メール送受信部１０ｆは、ネットワークインタフェース１７を用いて、ユーザが所有する携帯電話等にメールを送信する処理や、ユーザが所有する携帯電話等から送信されたメールを受信する処理を行う。
【００４３】
次に、映像出力部１０ａの電気的ブロック構成について、図４を参照して説明する。図４は、映像出力部１０ａの電気的ブロック構成を示す。映像出力部１０ａは、第１ビデオデコーダ３１と、第２ビデオデコーダ３２と、グラフィック３３と、スケーラ３４と、コンポジッタ３５と、フレームバッファ３６とを有する。
【００４４】
第１ビデオデコーダ３１及び第２ビデオデコーダ３２には、ＴＶ番組や外部機器から供給されるコンテンツの映像データが入力される。具体的には例えば、第１ビデオデコーダ３１には、現在再生中のコンテンツの映像データが入力され、第２ビデオデコーダ３２には、現在再生中のコンテンツにおける所定の再生時間の再生画像（映像データ）が入力される。第２ビデオデコーダ３２に入力される映像データは、例えば、画像取得部１０ｄによって取得された映像データである。所定の再生時間における映像データは、コンテンツの映像ストリームにおけるタイムスタンプに基づいて、取得される。
【００４５】
第１ビデオデコーダ３１は、入力された映像データをデコードし、デコードした映像データをコンポジッタ３５に出力する。第２ビデオデコーダ３２は、入力された映像データをデコードし、デコードした映像データをスケーラ３４に出力する。
【００４６】
グラフィック３３は、制御部１０からの指示に基づいて、ＯＳＤ（Ｏｎ−Ｓｃｒｅｅｎ  Ｄｉｓｐｌａｙ）映像等のグラフィックデータをコンポジッタ３５に出力する。スケーラ３４は、第２ビデオデコーダ３２から入力された映像データに対して、画像サイズ変換や画質調整等の画像処理を行った後、コンポジッタ３５に出力する。
【００４７】
コンポジッタ３５は、第１ビデオデコーダ３１、グラフィック３３、及びスケーラ３４から入力された映像データを合成し、フレームバッファ３６に出力する。フレームバッファ３６は、コンポジッタ３５から入力された映像データを一時的に記憶する。フレームバッファ３６内の映像データは、制御部１０による制御によって、所定のタイミングでディスプレイ１２に出力される。
【００４８】
次に、ＴＶ受像機１におけるコンテンツの再生画像の表示処理の一例について、図５に示すフローチャートを参照して説明する。本処理は、視聴可能時間１５ｃ以降に再生される視聴予定のコンテンツの再生画像を表示する処理である。
【００４９】
まず、制御部１０は、終了判断部１０ｃを用いて、「視聴予定のコンテンツの開始時刻＋このコンテンツの長さ時間」以内に、視聴可能時間１５ｃの終了時刻が存在するか否かを判断し、存在する場合（Ｓ１１でＹＥＳ）、視聴可能時間１５ｃ以降に再生される部分を算出する（Ｓ１２）。
【００５０】
そして、制御部１０は、画像取得部１０ｄを用いて、視聴可能時間１５ｃ以降に再生される視聴予定のコンテンツの再生画像（映像データ）を取得し（Ｓ１３）、動画で表示する場合（Ｓ１４でＹＥＳ）、取得された映像データを映像出力部１０ａでデコードし、ディスプレイ１２に動画で表示する（Ｓ１５）。この動画の一定時間の表示が完了すると（Ｓ１６でＹＥＳ）、制御部１０は、動画の表示を終了する。一方、一定時間の表示が完了するまで（Ｓ１６でＮＯ）、上記Ｓ１３以降の処理を繰り返す。
【００５１】
一方、動画を表示しない場合（Ｓ１４でＮＯ）、つまり、静止画で表示する場合、制御部１０は、上記Ｓ１３で取得した映像データをデコードした映像をキャプチャして静止画として取り込み、この静止画をディスプレイ１２に表示させる（Ｓ１７）。
【００５２】
また、制御部１０は、「視聴予定のコンテンツの開始時刻＋このコンテンツの長さ時間」以内に、視聴可能時間１５ｃの終了時刻が存在しない場合（Ｓ１１でＮＯ）、視聴可能時間１５ｃ以降に再生される部分がないことを通知し、次の視聴予定のコンテンツの再生開始時刻までの時間を表示する（Ｓ１８）。具体的には例えば、「視聴可能時間以降に再生される部分はありません」というメッセージをディスプレイ１２に表示する。なお、視聴中のコンテンツの現在の再生位置が変更された場合、制御部１０は、変更後の再生位置に基づいて、上記Ｓ１１の判定の代わりに、再生中のコンテンツの残りの再生時間以内に視聴可能時間１５ｃの終了時刻が存在するか否かという判定を行い、その判定の結果に基づいて、上記Ｓ１２以降の処理を行う。
【００５３】
次に、ＴＶ受像機１におけるコンテンツの再生画像の表示処理の別の一例について、図６に示すフローチャートを参照して説明する。本処理は、視聴予定のコンテンツと次に視聴予定のコンテンツとの重複時間に再生される再生画像を表示する処理である。
【００５４】
まず、制御部１０は、重複判断部１０ｅを用いて、「視聴予定のコンテンツの開始時刻＋このコンテンツの長さ時間」以内に、次の視聴予定のコンテンツが存在するか否かを判断し、存在する場合（Ｓ２１でＹＥＳ）、重複する部分を算出する（Ｓ２２）。すなわち、視聴予定のコンテンツの再生が終了する時までに、次の視聴予定のコンテンツの再生が開始されるか否かを判断する。
【００５５】
そして、制御部１０は、画像取得部１０ｄを用いて、重複する部分の再生画像（映像データ）を取得する（Ｓ２３）。すなわち、制御部１０は、次の視聴予定のコンテンツの再生開始予定時刻における視聴予定のコンテンツの映像データや、視聴予定のコンテンツの再生終了予定時刻における、次の視聴予定のコンテンツの映像データを取得する。
【００５６】
そして、制御部１０は、動画で表示する場合（Ｓ２４でＹＥＳ）、取得された映像データを映像出力部１０ａでデコードし、ディスプレイ１２に動画で表示する（Ｓ２５）。この動画の一定時間の表示が完了すると（Ｓ２６でＹＥＳ）、制御部１０は、動画の表示を終了する。一方、一定時間の表示が完了するまで（Ｓ２６でＮＯ）、制御部１０は、上記Ｓ２３以降の処理を繰り返す。
【００５７】
一方、動画を表示しない場合（Ｓ２４でＮＯ）、つまり、静止画で表示する場合、制御部１０は、上記Ｓ２３で取得した映像ストリームをデコードした映像をキャプチャして静止画として取り込み、この静止画をディスプレイ１２に表示させる（Ｓ２７）。
【００５８】
また、制御部１０は、「視聴予定のコンテンツの開始時刻＋このコンテンツの長さ時間」以内に、次の視聴予定のコンテンツが存在しない場合（Ｓ２１でＮＯ）、重複がないことを通知し、次の視聴予定のコンテンツの再生開始時刻までの時間を表示する（Ｓ２８）。具体的には例えば、「重複する部分はありません」というメッセージをディスプレイ１２に表示する。なお、制御部１０は、次の視聴予定のコンテンツの放送予定時刻が変更された否かを検知し、変更された場合、変更後の次の視聴予定のコンテンツの放送予定時刻に基づいて、上記Ｓ２１以降の処理を行う。
【００５９】
次に、上記コンテンツの再生画像の表示処理における再生画像の表示の一例について、図７乃至図１３を参照して説明する。図７は、ユーザの視聴可能時間１５ｃと、視聴予定のコンテンツとを示す。
【００６０】
図７に示すように、視聴予定のコンテンツＣ１は、１８：００から再生が開始されて、２１：００に再生が終了するものである。視聴可能時間１５ｃは、１８：００から２０：４５までの２時間４５分であるものとする。この場合、制御部１０は、視聴可能時間１５ｃ以降に再生される再生画像（視聴予定のコンテンツＣ１の開始から２時間４５分以降の再生画像（映像データ））を取得して、図８に示すようにディスプレイ１２に表示する（上記図５のＳ１５又はＳ１７に相当）。また、制御部１０は、図９に示すように、さらに「コンテンツ終了まで１５分」というメッセージＭ１を表示してもよい。
【００６１】
図１０は、上記図７に示した視聴予定のコンテンツＣ１の再生位置を変更した場合を示す。視聴可能時間１５ｃは、上記図７と同様である。図１０では、上記図７の視聴予定のコンテンツＣ１よりも再生位置を１０分間早送りしたものである。この場合、制御部１０は、視聴可能時間１５ｃ以降に再生される視聴予定のコンテンツＣ１の開始から２時間５５分以降の再生画像（映像データ）を取得して、図１１に示すようにディスプレイ１２に表示する（上記図５のＳ１５又はＳ１７に相当）。このとき、「コンテンツ終了まで５分」というメッセージＭ２を表示してもよい。
【００６２】
また、制御部１０は、図１２に示すように、視聴予定のコンテンツＣ１をさらに早送りして、視聴可能時間１５ｃ以内に視聴予定のコンテンツＣ１の再生が終了する場合、視聴予定のコンテンツＣ１の再生終了後から次の視聴予定のコンテンツの再生開始までの時間を表示してもよい（上記図５でＳ１８に相当）。ここでは、例えば「次の視聴予定の開始までの空き時間５分」というメッセージＭ３を表示する。
【００６３】
また、制御部１０は、図１３に示すように、視聴予定のコンテンツＣ１をさらに早送りして、視聴可能時間１５ｃ以内に視聴予定のコンテンツＣ１の再生が終了する場合、視聴予定のコンテンツＣ１の再生終了後から視聴可能時間１５ｃの終了時までの経過時間を表示してもよい。ここでは、例えば、「コンテンツ終了から３０分経過しています」というメッセージＭ４を表示する。
【００６４】
次に、上記コンテンツの再生画像の表示処理における再生画像の表示の別の一例について、図１４を参照して説明する。ここでは、ディスプレイ１２に表示される視聴計画画面において、ユーザが視聴予定のコンテンツを登録するものとする。図１４のＴ１は、ユーザがこれから登録する視聴予定のコンテンツを示し、Ｔ１１は他のユーザによって既に登録されている視聴予定のコンテンツを示すものとする。Ｔ１は、「５月１７日ＰＭ５：００〜ＰＭ７：００」の視聴予定であり、Ｔ１１は、「５月１７日ＰＭ６：３０〜ＰＭ８：００」の視聴予定である。
【００６５】
ユーザによって視聴予定のコンテンツＴ１が登録されると、制御部１０は、重複判断部１０ｅを用いて、視聴予定のコンテンツＴ１の再生が終了する時までに、次の視聴予定のコンテンツＴ１１の再生が開始されるか否かの判断を行う。この判断の結果、視聴予定のコンテンツＴ１の再生が終了する時までに、次の視聴予定のコンテンツＴ１１の再生が開始されると判断されるので、制御部１０は、次の視聴予定のコンテンツＴ１１の再生開始予定時刻（５月１７日ＰＭ６：３０）における視聴予定のコンテンツＴ１の再生画像を取得する。そして、視聴計画画面内に再生画像Ｎ１として表示する（上記図６のＳ２５又はＳ２７に相当）。なお、再生画像Ｎ１は、静止画でも動画でもよい。また、ユーザが視聴予定のコンテンツＴ１の任意の再生時間に対応する位置をカーソルで選択することにより、その再生時間の再生画像をディスプレイ１２に表示させてもよい。
【００６６】
次に、上記コンテンツの再生画像の表示処理における再生画像の表示のさらに別の一例について、図１５及び図１６を参照して説明する。ここでは、視聴予定のコンテンツを再生しているときに、次の視聴予定のコンテンツとの重複時間が５分間である場合、図１５に示すように、制御部１０は、ディスプレイ１２に「５分間重複」というメッセージＭ５と、５分間重複した場合における次の視聴予定のコンテンツの再生開始予定時刻における視聴予定のコンテンツの再生画像Ｎ２を表示してもよい。
【００６７】
また、視聴予定のコンテンツを早送りして、次の視聴予定のコンテンツとの重複時間が２分間になった場合、図１６に示すように、制御部１０は、ディスプレイ１２に「２分間重複」というメッセージＭ６と、２分間重複した場合における次の視聴予定のコンテンツＴ１１の再生開始予定時刻における視聴予定のコンテンツＴ１の再生画像Ｎ３を表示してもよい。
【００６８】
次に、コンテンツの視聴予定を登録する際に、他のユーザの視聴予定のコンテンツと視聴時間が重複する場合の処理について、図１７乃至図１９を参照して説明する。ここでは、ユーザＡによって登録された視聴予定のコンテンツの再生が終了する時までに、次の視聴予定のコンテンツの再生が開始されるものとし、次の視聴予定のコンテンツは、ユーザＢによって登録されたものであるとする。その場合、ＴＶ受像機１の制御部１０は、メール送受信部１０ｆを用いて、ユーザＢの所有する携帯電話３０にメールを送信する。
【００６９】
携帯電話３０に送信されるメールは、図１８に示すように、ユーザＢに対して、次の視聴予定のコンテンツの再生の開始を遅らせることについての許可を促すメッセージ（「Ａさんからの許可願い」）と、ユーザＢが視聴予定のコンテンツの時間と、このコンテンツの名前と、コンテンツの再生画像Ｎ４及びＮ５と、許可ボタンと、拒否ボタンとを含むものである。
【００７０】
コンテンツの再生画像Ｎ４は、ユーザＢによって登録された次の視聴予定のコンテンツの再生開始予定時刻における、ユーザＡによって登録された視聴予定のコンテンツの再生画像である。コンテンツの再生画像Ｎ５は、ユーザＡによって登録された視聴予定のコンテンツの再生終了予定時刻における、ユーザＢによって登録された次の視聴予定のコンテンツの再生画像である。なお、携帯電話３０に送信されるメールには、再生画像Ｎ４又は再生画像Ｎ５のいずれかのみを添付してもよい。
【００７１】
ユーザＢによって許可ボタンが選択されると、携帯電話３０からＴＶ受像機１に許可する旨が通知される。ＴＶ受像機１の制御部１０は、許可する旨を受信すると、ユーザＡによって登録された視聴予定のコンテンツの登録を確定する。なお、ＴＶ受像機１は、携帯電話３０にメールを送信しないで、図１９に示すように、ユーザＢに対して、次の視聴予定のコンテンツの再生の開始を遅らせることについての許可を促すメッセージをディスプレイ１２に表示させるものであってもよい。
【００７２】
上述したように、本実施形態に係るＴＶ受像機１によれば、終了判断部１０ｃによって、視聴予定のコンテンツの再生がユーザの視聴可能時間１５ｃ内に終了しないと判断されたときに、制御部１０は、画像取得部１０ｄを用いて、視聴可能時間１５ｃ以降に再生される視聴予定のコンテンツの画像を取得する。そして、制御部１０が、画像取得部１０ｄを用いて取得した画像をディスプレイ１２に表示する。そのため、ユーザは、視聴可能時間１５ｃ内に、視聴予定のコンテンツの再生が終了しないときに、視聴可能時間１５ｃ以降に再生される視聴予定のコンテンツの画像を容易に確認できる。従って、ユーザが視聴可能時間１５ｃ以降の視聴予定のコンテンツの内容がコンテンツの本編の内容に影響するか否かを容易に判断できるため、例えば、視聴可能時間１５ｃ以降に再生される視聴予定のコンテンツの内容がエンドロールである場合、この部分は本編の内容に影響しない（視聴する必要がない）と判断できる。その場合、ユーザは視聴予定のコンテンツを予定通りに再生することができるので、コンテンツを効率良く視聴でき、利便性が向上する。
【００７３】
また、本実施形態に係るＴＶ受像機１によれば、制御部１０は、視聴予定のコンテンツの現在の再生位置が変更されたとき、変更後の視聴予定のコンテンツの再生が視聴可能時間１５ｃ内に終了するか否かを判断する。そして、制御部１０、終了判断部１０ｃによって変更後の視聴予定のコンテンツの再生が視聴可能時間１５ｃ内に終了しないと判断されたときに、視聴可能時間１５ｃ以降に再生される変更後の視聴予定のコンテンツの画像を取得して、ディスプレイ１２に表示する。そのため、ユーザは、視聴予定のコンテンツの現在の再生位置が変更された場合であっても、ユーザの視聴可能時間１５ｃ内に、変更後の視聴予定のコンテンツの再生が終了しないときに、視聴可能時間１５ｃ以降に再生される変更後の視聴予定のコンテンツの画像を容易に確認できる。従って、視聴可能時間１５ｃ以降に再生される、変更後の視聴予定のコンテンツの内容がコンテンツの本編の内容に影響するか否かを容易に判断できるため、利便性が向上する。
【００７４】
また、本実施形態に係るＴＶ受像機１によれば、制御部１０は、画像取得部１０ｄを用いて、重複判断部１０ｅによって、視聴予定のコンテンツの再生が終了する時までに、次の視聴予定のコンテンツの再生が開始されると判断された場合に、次の視聴予定のコンテンツの再生開始予定時刻における視聴予定のコンテンツの再生画像を取得する。そして、制御部１０が、取得した再生画像をディスプレイ１２に表示する。そのため、制御部１０によって取得した再生画像がディスプレイ１２に表示されるので、ユーザは、次の視聴予定のコンテンツの再生開始予定時刻における視聴予定のコンテンツの再生画像を容易に確認できる。従って、次の視聴予定のコンテンツの再生開始予定時刻における視聴予定のコンテンツの内容が、視聴予定のコンテンツの本編の内容に影響するか否かを容易に判断できるため、仮に影響しないと判断した場合、ユーザは視聴予定のコンテンツを予定通りに再生することができるので、利便性が向上する。
【００７５】
また、本実施形態に係るＴＶ受像機１によれば、制御部１０は、画像取得部１０ｄを用いて、重複判断部１０ｅによって、視聴予定のコンテンツの再生が終了する時までに、次の視聴予定のコンテンツの再生が開始されると判断された場合に、次の視聴予定のコンテンツの再生開始予定時刻における視聴予定のコンテンツの再生画像に加えて、さらに、視聴予定のコンテンツの再生終了予定時刻における、次の視聴予定のコンテンツの再生画像を取得する。そのため、制御部１０によって取得した２つの再生画像がディスプレイ１２に表示されるので、ユーザは、次の視聴予定のコンテンツの再生開始予定時刻における視聴予定のコンテンツの再生画像と、視聴予定のコンテンツの再生終了予定時刻における、次の視聴予定のコンテンツの再生画像とを容易に確認できる。従って、ユーザは、視聴予定のコンテンツと、次の視聴予定のコンテンツとを予定通りに再生すべきか否かを容易に判断できるため、利便性が向上する。
【００７６】
また、本実施形態に係るＴＶ受像機１によれば、制御部１０は、次の視聴予定のコンテンツの放送予定時間の変更が検知されたときに、重複判断部１０ｅを用いて、視聴予定のコンテンツの再生が終了する時までに、変更後の次の視聴予定のコンテンツの再生が開始されるか否かを判断する。そのため、次の視聴予定のコンテンツの放送予定時間が変更された場合であっても、視聴予定のコンテンツの再生が終了する時までに、変更後の次の視聴予定のコンテンツの再生が開始されるか否かが自動的に判断される。そして、視聴予定のコンテンツの再生が終了する時までに、変更後の次の視聴予定のコンテンツの再生が開始されると判断された場合に、変更後の次の視聴予定のコンテンツの再生開始予定時刻における視聴予定のコンテンツの再生画像がディスプレイ１２に表示される。従って、ユーザは、変更後の次の視聴予定のコンテンツの再生開始予定時刻における視聴予定のコンテンツの再生画像を容易に確認できるため、利便性がさらに向上する。
【００７７】
また、本実施形態に係るＴＶ受像機１によれば、制御部１０は、重複判断部１０ｅによって、視聴予定のコンテンツの再生が終了する時までに、次の視聴予定のコンテンツの再生が開始されると判断された場合に、メール送受信部１０ｆを用いて、次の視聴予定のコンテンツを視聴予定のユーザに対して、次の視聴予定のコンテンツの再生の開始を遅らせることについての許諾を促すメッセージを報知する。そのため、ユーザは、次の視聴予定のコンテンツを視聴予定のユーザに対して、次の視聴予定のコンテンツの再生の開始を遅らせることについての許諾を求める手間が軽減できるので、利便性が向上する。
【００７８】
また、本実施形態に係るＴＶ受像機１によれば、制御部１０は、図１８に示したように、メール送受信部１０ｆを用いて送信するメールのメッセージに、画像取得部１０ｄによって取得された画像を添付する。そのため、次の視聴予定のコンテンツを視聴予定のユーザは、このコンテンツの再生の開始を遅らせることについて許諾するか否かを判断しやすくなるので、利便性が向上する。
【００７９】
また、本実施形態に係るＴＶ受像機１によれば、コンテンツを視聴中に、このコンテンツの現在の再生位置が変更されたときに、画像取得部１０ｄは、視聴可能時間１５ｃの終了時刻に再生される変更後のコンテンツの画像を取得する。そして、制御部１０は、画像取得部１０ｄによって取得された画像と、視聴中のコンテツの画像とをディスプレイ１２に同時に表示する。従って、ユーザは、視聴可能時間１５ｃの終了時刻に再生される変更後のコンテンツの画像と、視聴中のコンテツの画像とを容易に確認できるため、利便性がさらに向上する。
【００８０】
なお、本発明は、上記実施形態の構成に限られず、発明の趣旨を変更しない範囲で種々の変形が可能である。例えば、上記実施形態において、請求項に示す画像表示装置がＴＶ受像機である例を示したが、これに限られず、視聴予定のコンテンツを登録可能な画像表示装置であればよい。
【００８１】
また、上記実施形態において、上記図１４では、次の視聴予定のコンテンツの再生開始予定時刻における視聴予定のコンテンツの再生画像を表示させる例を示したが、さらに、視聴予定のコンテンツの再生終了予定時刻における、次の視聴予定のコンテンツの再生画像を表示してもよい。その場合、子画面を２つ表示させてそれぞれの再生画像を表示させてもよい。
【００８２】
また、上記実施形態において、次の視聴予定のコンテンツの再生開始予定時刻における視聴予定のコンテンツの再生画像を表示させる例を示したが、この視聴予定のコンテンツの再生画像を取得できない場合を考える。その場合、この視聴予定のコンテンツが例えば、ドラマ等のシリーズ放送されているＴＶ番組であれば、次の視聴予定のコンテンツの再生開始予定時刻における前回放送されたコンテンツから再生画像を取得して、取得した再生画像をディスプレイに表示してもよい。
【００８３】
また、上記実施形態において、ユーザがコンテンツを視聴中であるときに、再生中のコンテンツ再生画像と、ユーザの視聴可能時間の終了時刻に再生される再生画像とを同時にディスプレイに表示してもよい。具体的には例えば、図２０に示すように、現在視聴中（再生中）のコンテンツの再生画像Ｎ６と、ユーザの視聴可能時間の終了時刻に再生される再生画像Ｎ７とを同時にディスプレイに表示してもよい。その場合、ユーザは、現在再生中のコンテンツの再生画像と、視聴可能時間の終了時刻に再生される再生画像とを容易に確認できるため、利便性がさらに向上する。
【００８４】
また、上記実施形態において、視聴予定のコンテンツの現在の再生位置が変更された場合の例として、コンテンツを早送りすることによって、現在の再生位置が変更された場合を示したが、これに限られず、視聴予定のコンテンツを巻き戻しした場合であってもよい。また、視聴中のコンテンツの再生を一時停止しているときに、再生を一時停止している時間に応じて、視聴可能時間以降に再生されるコンテンツの再生画像を更新して表示させる処理や、次に視聴予定のコンテンツとの重複時間に再生される再生画像を取得し直して表示させる処理を行ってもよい。
【符号の説明】
【００８５】
１  画像表示装置（ＴＶ受像機）
１０  制御部（表示制御手段、変更検知手段）
１０ｃ  終了判断部（終了判断手段）
１０ｄ  画像取得部（画像取得手段）
１０ｅ  重複判断部（重複判断手段）
１０ｆ  メール送受信部（報知手段）
１２  ディスプレイ（表示手段）
１５ｃ  視聴可能時間
【図１】
2014116700.tif 000003
【図２】
2014116700.tif 000004
【図３】
2014116700.tif 000005
【図４】
2014116700.tif 000006
【図５】
2014116700.tif 000007
【図６】
2014116700.tif 000008
【図７】
2014116700.tif 000009
【図８】
2014116700.tif 000010
【図９】
2014116700.tif 000011
【図１０】
2014116700.tif 000012
【図１１】
2014116700.tif 000013
【図１２】
2014116700.tif 000014
【図１３】
2014116700.tif 000015
【図１９】
2014116700.tif 000016
【図２０】
2014116700.tif 000017
【図１４】
2014116700.tif 000018
【図１５】
2014116700.tif 000019
【図１６】
2014116700.tif 000020
【図１７】
2014116700.tif 000021
【図１８】
2014116700.tif 000022